(57)【要約】  自然な可動性を有するフットウェアであり、足指または足指のグループのための分離された座部（４）を規定する靴底（２）と上部（３）とを含む。薄い靴底（２）は、人体の皮膚を発展させた形態で構成されるリッジ部（６）と谷部（７）とからなる少なくとも１つの分布領域を底に含む。靴底の複数の部品／部材は、可動範囲が広く、素足のようである。薄い靴底により、足および体が受ける高さに係る環境フィードバックが向上し、このフィードバックによって体の調整または修正を行なうことができ、エクササイズ時または活動時のバランス、敏捷性、安定性を向上させることができる。
2013525054.tif 000002
【特許請求の範囲】
【請求項１】
足の可動性の高い靴であって、足指または足指のグループを保持するために分離された前側座部（４）を規定する靴底（２）と上部（３）とを備え、前記靴底（２）は、足の掴み力を高めるために皮膚紋理と同様に構成された、リッジ部（６）と谷部（７）とからなる少なくとも１つの分布領域を含む、靴。
【請求項２】
前記靴底（２）は、足の裏の異なる領域に位置付けられた、別個の部分（１３，１４，１５）に分離されている、請求項１に記載の靴。
【請求項３】
前記靴底（２）は、踵部分（１３）を少なくとも含む、請求項２に記載の靴。
【請求項４】
前記靴底（２）は、中足骨部分（１４）を少なくとも含む、上記請求項のいずれか１項に記載の靴。
【請求項５】
前記靴底（２）は、指骨部分（１５）を少なくとも含む、上記請求項のいずれか１項に記載の靴。
【請求項６】
前記靴底（２）の少なくとも１つの前記部分（１３，１４，１５）は、皮膚紋理と同様に構成される、リッジ部（６）と谷部（７）とからなる少なくとも１つの分布領域を含む、上記請求項のいずれか１項に記載の靴。
【請求項７】
前記靴底（２）の少なくとも１つの前記部分は、リッジ部（６）と谷部（７）とからなる前記分布領域を規定する輪郭（１６，１７）を少なくとも含む、上記請求項のいずれか１項に記載の靴。
【請求項８】
前記輪郭（１６，１７）は、足の足根骨の領域における前記靴底（２）のそれぞれの部分（１３，１４）を薄くする、少なくとも１つの入り江部分（１８，１９）を規定する、前の請求項に係る靴。
【請求項９】
足の５つの足指をそれぞれ収容する５つの分離された座部（４）を含む、上記請求項のいずれか１項に記載の靴。
【請求項１０】
前記靴底（２）は、５つの分離された前記座部（４）に設けられた５つの指骨部分（１５）を含む、前の請求項に記載の靴。
【請求項１１】
前記靴底（２）は、弾性的に柔軟な材料からなる、上記請求項のいずれか１項に記載の靴。
【請求項１２】
前記靴底（２）の前記部分（１３，１４，１５）は、縫い合わせによって前記上部（３）に固定される、上記請求項のいずれか１項に記載の靴。
【請求項１３】
前記靴底（２）の前記部分（１３，１４，１５）は、接着により前記上部（３）に固定される、請求項２から１２のいずれか１項に記載の靴。
【請求項１４】
前記上部（３）は、足の甲と足の裏の領域に延在する、上記請求項のいずれか１項に記載の靴。
【請求項１５】
前記上部（３）は、柔軟な材料からなる、上記請求項のいずれか１項に記載の靴。
【請求項１６】
前記上部（３）は、足の周りを締め付ける手段（１１）を含む、上記請求項のいずれか１項に記載の靴。
【請求項１７】
前記上部（３）には、通気孔（１２）が設けられる、上記請求項のいずれか１項に記載の靴。
【請求項１８】
靴の靴底（２）であって、皮膚紋理と同様に構成されたリッジ部（６）と谷部（７）とからなる少なくとも１つの分布領域を底部に含む、靴底。
【請求項１９】
踵部分（１３）と、中足骨部分（１４）と、指骨部分（１５）とを備え、皮膚紋理と同様に構成されたリッジ部（６）と谷部（１７）とからなる分布領域をそれぞれが含む、前の請求項に記載の靴底（２）。
【発明の詳細な説明】
【技術分野】
【０００１】
発明の技術分野
本発明は、足の可動性の高い靴に関する。
【背景技術】
【０００２】
先行技術
特に足指の関節の可動性をより良好なものとし、歩行動作の際の快適さをより大きくするために足の自然な形状を再現し、必要な保護を確保しながらも素足で歩く感覚をユーザにもたらす特定のタイプのフットウェアが知られており、市販されている。
【０００３】
このようなタイプのフットウェアは、同じ出願人による国際特許出願公開第２００７／０３８４８７に開示されている。この特許出願には、５つの足指に対応するために、柔軟な材料からなって互いに独立した５つの部分が前部に規定され、このような部分が上部および靴底の両方を含む靴が開示されている。
【０００４】
このような靴においては、柔軟性を高めて歩行の際の快適さを向上させることを目的として、実質的に横方向に延在する異なる寸法の刻み目が靴底にいくつか設けられている。
【０００５】
しかし、靴を実際に使用する際においては、様々な使用状態での地面に対するグリップに関して、これらの刻み目が十分に有効でないことがわかった。実際に、地面が濡れた状態または滑りやすい状態などのいくつかの特定の不利な状態において、地面に対して靴が生じる摩擦およびグリップは、歩行に十分な安定性、バランス、および牽引性をユーザにもたらさないことが確認された。この事実により、滑りやすい面および／または傾斜した面において足による支持が求められる特定のスポーツまたはレクリエーション活動で靴が使用される場合は特に、ユーザ自身の身体的な安全性が脅かされ得る。
【発明の概要】
【発明が解決しようとする課題】
【０００６】
発明の目的
本発明の技術的課題は、従来技術を向上させることにある。
【０００７】
この技術的課題の範囲において、本発明の目的は、足の可動性を高め、滑りやすい面および／または傾斜した面などの非常に好ましくない状態にあっても地面に対する最適な密着および摩擦を実現する靴を開発することにある。
【０００８】
本発明のさらなる他の目的は、歩行時、レース時、または足によって支持される他の動きを行なう際にユーザの快適さを向上させる、足の可動性の高い靴を提供することにある。これらの目的および他の目的の全ては、添付の請求項のうちの１つ以上に係る足の可動性の高い靴によって実現される。
【課題を解決するための手段】
【０００９】
本発明に係る靴によって実現される重要な利点は、地面に対する足による支持に関して、急な滑りの危険性または接触を失う危険性がなく、最高の密着状態および摩擦状態が得られること、ならびに足および足指の高い可動性を得られることにある。これらの状態は、濡れた面、および／または滑りやすい面、および／または傾斜した面に対して足による支持が生じるような好ましくない状況において保証される。
【００１０】
本発明の他の利点は、特に衝撃の減衰など、地面に対する足の支持に関する快適な状態が本発明に係る靴によって高められることにある。
【００１１】
これらの利点およびさらなる利点は、非限定的な例として示される以下の技術的な記載および添付の図面からすべての当業者によってより良好に理解される。
【図面の簡単な説明】
【００１２】
【図１】本発明に係る靴の底面図である。
【図２】靴の側面図である。
【図３】靴の前面図である。
【図４】本発明に係る靴の後面図である。
【図５】本発明に係る靴の靴底の代替的な実施形態を示す底面図である。
【発明を実施するための形態】
【００１３】
発明の実施形態
図１を参照すると、本発明に係る足の可動性の高い靴が全体的に符号１で示される。
【００１４】
本発明に係る靴は、その特徴から特にスポーツやレクリエーション活動などの一般用途に用いられるが、用途はこれらに限られたものではない。
【００１５】
図２を参照すると、靴１は、全体的に符号２で示される靴底と、概して符号３で示される上部とを含み、足の表面を完全またはほぼ完全に覆うように、これらは互いに取り付けられる。
【００１６】
図３に示されるように、靴底２および上部３は、足のそれぞれの足指または足指のグループを収容するために、スロット５によって互いに分離された前側座部４を規定する。
【００１７】
より具体的には、足の５つの足指をそれぞれ収容するためにスロット５によって互いに分離された５つの前側座部４が設けられる。
【００１８】
以下に記載される重要な技術的利点を実現するために、靴１の靴底２は、皮膚紋理と同様に適合されたリッジ部６と谷部７とからなる少なくとも１つの分布領域を底部に有利に含む。
【００１９】
靴１の上部３は、自然皮革または人工皮革のタイプ、または靴の分野において採用されて実質的に同等の特徴を示す自然材料または人工材料の適切な他のタイプの柔軟な材料からなる。
【００２０】
上部３は、一体的に形成することができる、または、たとえば図２に示されるような縫合縁部８によって結合される互いに別個の部品から形成されてもよい。さらに、足を挿入するための開口部９において、上部３には、実質的に従来のタイプの縁部１０が設けられる。
【００２１】
図１から明らかなように、上部３は、完全またはほぼ完全に足を包み込むように足の甲の領域から足裏の領域まで延在する。
【００２２】
靴の内部には、足の裏を支持するための支持中底が設けられ、上部３および靴底２に取り付けられる。この中底は、図面に示されていないが、大抵はよく知られた従来のものである。
【００２３】
上部３は、足周りを締め付けるための手段を含み、図２において参照番号１１で示される。このような締め付け手段１１は、留め金または他の同等な手段によって構成されるが、これは本発明の主題を構成するものではない。
【００２４】
図２および図４に示されるように、上部３には通気孔１２が設けられ、たとえば踵骨（踵）の領域において横方向に配置され、本発明に係る靴を夏場に使用するのに特に適している。
【００２５】
靴の靴底２は、足裏の異なる領域に配置されるように分離した部分に分割されている。より具体的には、靴底２は、踵部分１３と、中足骨部分１４と、指骨部分１５とを含む。この解決手段により、図１および図２を見れば分かるように、靴底２の曲げに対する抵抗のほとんどが上部３を形成する材料によってもたらされることから、靴の靴底２は既知のフットウェアよりも柔らかく、曲げやすくなる。
【００２６】
靴底２の踵部分１３、中足骨部分１４、および指骨部分１５のうちの少なくとも１つは、皮膚紋理と同様に適合されたリッジ部６と谷部７とからなる分布領域を含む。より具体的には、踵部分１３、中足骨部分１４、および指骨部分１５の各々は、リッジ部６と谷部７とからなるそれぞれの分布領域を含むことにより、少なくとも形状が人間の足裏の皮膚紋理に可能な限り近付くように再現される。靴底２に形成される皮膚紋理の大きさは、以下により良好に記載される技術的効果を強調するために、実際は実物よりも大きい。
【００２７】
靴底２の中足骨部分１３および踵部分１４は、リッジ部６および谷部７の分布領域の範囲を定める周縁部１６，１７を含む。縁部１６，１７は、リッジ部６の端部を損壊、摩耗、および引裂から守り、靴底２を長期にわたって無傷のまま維持する。踵部分１３および中足骨部分１４の縁部１６，１７は、それぞれ入り江部分１８，１９を規定し、足の足根骨の領域において部分１３，１４の同じ箇所が薄くなるようにし、その領域における靴底２の柔らかさを高める。
【００２８】
図１および図３に示されるように、靴底２は、スロット５によって分離された５つの座部４にそれぞれ配置される５つの指骨部分１５を含む。
【００２９】
靴底２、すなわち、踵部分１３、中足骨部分１４、および指骨部分１５は、たとえば天然ゴムまたは合成ゴムのタイプなどの弾性的に柔軟な材料から成る。
【００３０】
靴底２の踵部分１３、中足骨部分１４、および指骨部分１５は、縫い合わせによって上部３に固定される、または接着によって上部３に固定されてもよい。固定については、本発明が対象としていない他の公知かつ同等の接続手段によって行なってもよい。
【００３１】
実際の使用において、本発明に係る靴が適切に履かれ、締め付け手段１１によって足が締め付けられると、ユーザは、特に互いに独立した足指の可動性の自由度が最大となった状態で歩行、走行、および足に支持される他の変化を行うことができる。これにより、足裏の触知動作および掴み動作が容易となり、最大限の快適さおよび安全性をもって裸足で歩行する感覚がユーザにもたらされる。
【００３２】
本発明に係る解決手段によれば、ユーザは他の重要な技術的利点を得ることができる。
皮膚紋理と同様に作られたリッジ部６および谷部７を靴１の靴底２の部分１３，１４，１５に設けることによって、濡れた状態および／または滑りやすい状態および／または傾斜した状態の全ての面に対して靴底２自体の密着が最適となる。実際に、谷部７は、靴底２と地面との間に入り得る水または他の液体を可能な限り排水することができ、ユーザの滑りが防止される。
【００３３】
さらに、弾性的に変形可能なこれらのリッジ部６と谷部７とによって、靴底２と地面との間の摩擦が増大し、歩行時および／または走行時にユーザの前進する力を高めることができる。
【００３４】
本発明に係る靴によってもたらされるさらなる利点は、リッジ部６はユーザの重みによって弾性的に変形し、歩行時および／または走行時において小さなクッションとして地面に対する足の衝撃を緩衝することができる。これにより、ユーザの動作における快適さは、基本的に滑らかな靴底と比較して実質的に増大する。
【００３５】
さらに、足の掴み動作性が高まり、これに伴って走行を行なう際のスプリント力が高まる。
【００３６】
本発明に係る靴の靴底の代替的な実施形態が図５に示される。
この実施形態において、靴底２は、たとえば、ゴムまたは同等の材料からなり、足裏の全体にわたって実質的に広がる単一の部材からなる。すなわち、踵部分１３、中足骨部分１４、および指骨部分１５は前の実施形態と同じであり、互いに一体となっている。
【００３７】
この実施形態によれば、前の実施形態と比べて少しだけ弾性の高い靴底２がもたらされる。たとえば、粗い表面または凹凸のある表面にユーザが足を置いた場合に、より良好な保護が足裏に確保される。
【００３８】
提案された目的を発明がどのようにして達成するかについて説明した。
好ましい実施形態を参照して本発明が記載されたが、以下の請求項によって提供される保護範囲を越えることなく同等の変形例を設けることができる。
【図１】
2013525054.tif 000003
【図２】
2013525054.tif 000004
【図３】
2013525054.tif 000005
【図４】
2013525054.tif 000006
【図５】
2013525054.tif 000007
【手続補正書】
【提出日】平成24年3月2日(2012.3.2)
【手続補正１】
【補正対象書類名】明細書
【補正対象項目名】００２７
【補正方法】変更
【補正の内容】
【００２７】
靴底２の中足骨部分１３および踵部分１４は、リッジ部６および谷部７の分布領域の範囲を定める周輪郭１６，１７を含む。輪郭１６，１７は、リッジ部６の端部を損壊、摩耗、および引裂から守り、靴底２を長期にわたって無傷のまま維持する。踵部分１３および中足骨部分１４の輪郭１６，１７は、それぞれ入り江部分１８，１９を規定し、足の足根骨の領域において部分１３，１４の同じ箇所が薄くなるようにし、その領域における靴底２の柔らかさを高める。
【手続補正２】
【補正対象書類名】特許請求の範囲
【補正対象項目名】全文
【補正方法】変更
【補正の内容】
【特許請求の範囲】
【請求項１】
足の可動性の高い靴であって、足指または足指のグループを保持するために分離された前側座部（４）を規定する靴底（２）と上部（３）とを備え、前記靴底（２）は、足の掴み力を高めるために皮膚紋理と同様に構成された、リッジ部（６）と谷部（７）とからなる少なくとも１つの分布領域を含み、前記靴底（２）は、足の裏の異なる領域に位置付けられた別個の部分（１３，１４，１５）に分離され、前記靴底（２）の少なくとも１つの前記部分（１３，１４，１５）は、リッジ部（６）と谷部（７）とからなる前記分布領域を規定する輪郭（１６，１７）を少なくとも含む、靴。
【請求項２】
前記靴底（２）は、踵部分（１３）を少なくとも含む、請求項１に記載の靴。
【請求項３】
前記靴底（２）は、中足骨部分（１４）を少なくとも含む、上記請求項のいずれか１項に記載の靴。
【請求項４】
前記靴底（２）は、指骨部分（１５）を少なくとも含む、上記請求項のいずれか１項に記載の靴。
【請求項５】
前記靴底（２）の少なくとも１つの前記部分（１３，１４，１５）は、皮膚紋理と同様に構成される、リッジ部（６）と谷部（７）とからなる少なくとも１つの分布領域を含む、上記請求項のいずれか１項に記載の靴。
【請求項６】
前記輪郭（１６，１７）は、足の足根骨の領域における前記靴底（２）のそれぞれの部分（１３，１４）を薄くする、少なくとも１つの入り江部分（１８，１９）を規定する、前の請求項に係る靴。
【請求項７】
足の５つの足指をそれぞれ収容する５つの分離された座部（４）を含む、上記請求項のいずれか１項に記載の靴。
【請求項８】
前記靴底（２）は、５つの分離された前記座部（４）に設けられた５つの指骨部分（１５）を含む、前の請求項に記載の靴。
【請求項９】
前記靴底（２）は、弾性的に柔軟な材料からなる、上記請求項のいずれか１項に記載の靴。
【請求項１０】
前記靴底（２）の前記部分（１３，１４，１５）は、縫い合わせによって前記上部（３）に固定される、上記請求項のいずれか１項に記載の靴。
【請求項１１】
前記靴底（２）の前記部分（１３，１４，１５）は、接着により前記上部（３）に固定される、請求項２から１２のいずれか１項に記載の靴。
【請求項１２】
前記上部（３）は、足の甲と足の裏の領域に延在する、上記請求項のいずれか１項に記載の靴。
【請求項１３】
前記上部（３）は、柔軟な材料からなる、上記請求項のいずれか１項に記載の靴。
【請求項１４】
前記上部（３）は、足の周りを締め付ける手段（１１）を含む、上記請求項のいずれか１項に記載の靴。
【請求項１５】
前記上部（３）には、通気孔（１２）が設けられる、上記請求項のいずれか１項に記載の靴。
【手続補正３】
【補正対象書類名】図面
【補正対象項目名】図１
【補正方法】変更
【補正の内容】
【図１】
2013525054.tif 000008
【手続補正４】
【補正対象書類名】図面
【補正対象項目名】図４
【補正方法】変更
【補正の内容】
【図４】
2013525054.tif 000009
【手続補正書】
【提出日】平成24年7月9日(2012.7.9)
【手続補正１】
【補正対象書類名】特許請求の範囲
【補正対象項目名】全文
【補正方法】変更
【補正の内容】
【特許請求の範囲】
【請求項１】
足の可動性の高い靴であって、足指または足指のグループを保持するために分離された前側座部（４）を規定する靴底（２）と上部（３）とを備え、前記靴底（２）は、足の掴み力を高めるために皮膚紋理と同様に構成された、リッジ部（６）と谷部（７）とからなる少なくとも１つの分布領域を含み、前記靴底（２）は、足の裏の異なる領域に位置付けられた、別個の部分（１３，１４，１５）に分離され、前記靴底（２）は、踵部分（１３）と中足骨部分（１３）とを少なくとも含み、靴底（２）の中足骨部分（１３）および踵部分（１４）は、リッジ部（６）および谷部（７）の分布領域の範囲を定める周輪郭（１６，１７）を含む、靴。
【請求項２】
前記靴底（２）は、指骨部分（１５）を少なくとも含む、上記請求項のいずれか１項に記載の靴。
【請求項３】
前記輪郭（１６，１７）は、足の足根骨の領域における前記靴底（２）のそれぞれの部分（１３，１４）を薄くする、少なくとも１つの入り江（１８，１９）を規定する、前の請求項に係る靴。
【請求項４】
足の５つの足指をそれぞれ収容する５つの分離された座部（４）を含む、上記請求項のいずれか１項に記載の靴。
【請求項５】
前記靴底（２）は、５つの分離された前記座部（４）に設けられた５つの指骨部分（１５）を含む、前の請求項に記載の靴。
【請求項６】
前記靴底（２）は、弾性的に柔軟な材料からなる、上記請求項のいずれか１項に記載の靴。
【請求項７】
前記靴底（２）の前記部分（１３，１４，１５）は、縫い合わせによって前記上部（３）に固定される、上記請求項のいずれか１項に記載の靴。
【請求項８】
前記靴底（２）の前記部分（１３，１４，１５）は、接着により前記上部（３）に固定される、請求項１から７のいずれか１項に記載の靴。
【請求項９】
前記上部（３）は、足の甲と足の裏の領域に延在する、上記請求項のいずれか１項に記載の靴。
【請求項１０】
前記上部（３）は、柔軟な材料からなる、上記請求項のいずれか１項に記載の靴。
【請求項１１】
前記上部（３）は、足の周りを締め付ける手段（１１）を含む、上記請求項のいずれか１項に記載の靴。
【請求項１２】
前記上部（３）には、通気孔（１２）が設けられる、上記請求項のいずれか１項に記載の靴。
【請求項１３】
靴の靴底（２）であって、皮膚紋理と同様に構成されたリッジ部（６）と谷部（７）とからなる少なくとも１つの分布領域を底部に含む、靴底。
【請求項１４】
踵部分（１３）と、中足骨部分（１４）と、指骨部分（１５）とを備え、皮膚紋理と同様に構成されたリッジ部（６）と谷部（１７）とからなる分布領域をそれぞれが含む、上記請求項のいずれか１項に記載の靴底（２）。
【国際調査報告】
2013525054.tif 000010
2013525054.tif 000011
2013525054.tif 000012